(57)【要約】各々少なくとも符号化部（１２，２２，３２）と復号化部（１６，２６，３６）とデータ転送制御部（１３，２３，３３）と第１バス（１４，２４，３４）と第２バス（１５，２５，３５）とを備えた複数の同一構成ＬＳＩ（１７，２７，３７）をチェーン状に連結し、更にディスクドライブ（２ａ，２ｂ）を接続する。各ＬＳＩ（１７，２７，３７）を含む個々の単位回路が１番組記録機能を有し、ディスクドライブ（２ａ，２ｂ）への複数番組同時記録が達成される。【特許請求の範囲】
【請求項１】
映像音声データの記録のためのディスクドライブと、複数の単位回路とを備えた映像音声記録再生装置であって、
前記複数の単位回路の各々は、
それぞれ映像音声データの転送のための第１及び第２バスと、
映像音声信号を映像音声データに符号化する符号化部と、
映像音声データを映像音声信号に復号化する復号化部と、
前記符号化部からの映像音声データの受信と、前記復号化部への映像音声データの送信と、前記第１バスを用いた映像音声データの転送と、前記第２バスを用いた映像音声データの転送とを司るデータ転送制御部とを備え、
前記複数の単位回路がチェーン状に連結されるように、互いに隣接する２個の単位回路のうちの一方の単位回路の前記第１バスと他方の単位回路の前記第２バスとが互いに連結され、
前記ディスクドライブは、前記複数の単位回路の前記第１及び第２バスのうちのいずれか１つのバスに接続されたことを特徴とする映像音声記録再生装置。
【請求項２】
請求項１記載の映像音声記録再生装置において、
前記データ転送制御部は、
前記符号化部からの映像音声データを受信する受信部と、
前記復号化部へ映像音声データを送信する送信部と、
前記第１バスを用いた映像音声データの転送を司る第１送受信部と、
前記第２バスを用いた映像音声データの転送を司る第２送受信部と、
前記受信部からの映像音声データと、前記第２バスから前記第２送受信部を介して受信した映像音声データとのうちいずれかを選択して前記第１送受信部へ送信する第１選択部と、
前記受信部からの映像音声データと、前記第１バスから前記第１送受信部を介して受信した映像音声データとのうちいずれかを選択して前記第２送受信部へ送信する第２選択部と、
前記受信部からの映像音声データと、前記第１バスから前記第１送受信部を介して受信した映像音声データと、前記第２バスから前記第２送受信部を介して受信した映像音声データとのうちいずれかを選択して前記送信部へ送信する第３選択部と、
前記第１、第２及び第３選択部における映像音声データの選択を制御する制御部とを備え、
前記第１送受信部は、前記第１バスから受信した映像音声データを前記第２及び第３選択部へ送信する機能と、前記第１選択部から受信した映像音声データを前記第１バスへ送信する機能とを有し、
前記第２送受信部は、前記第２バスから受信した映像音声データを前記第１及び第３選択部へ送信する機能と、前記第２選択部から受信した映像音声データを前記第２バスへ送信する機能とを有することを特徴とする映像音声記録再生装置。
【請求項３】
請求項２記載の映像音声記録再生装置において、
前記第１及び第２バスは、各々ＡＴＡ／ＡＴＡＰＩ（ＡＴ  Ａｔｔａｃｈｍｅｎｔ  ｗｉｔｈ  Ｐａｃｋｅｔ  Ｉｎｔｅｒｆａｃｅ）インターフェイスバスであり、
前記第２送受信部は、前記第２バスにおけるホストとしての映像音声データの転送を司る機能を有し、
前記第１送受信部は、
前記第１バスにおけるホストとしての映像音声データの転送を司るホスト機能部と、
前記第１バスにおけるデバイスとしての映像音声データの転送を司るデバイス機能部と、
前記第１選択部から受信した映像音声データを前記ホスト機能部と前記デバイス機能部とのうちいずれへ出力するかを選択する出力選択部と、
前記ホスト機能部から入力した映像音声データと前記デバイス機能部から入力した映像音声データとのうちいずれを前記第２及び第３選択部へ送信するかを選択する入力選択部と、
前記ホスト機能部と前記デバイス機能部とのうちいずれを前記第１バスへ接続するかを選択する入出力選択部とを備え、
前記制御部は、前記ホスト機能部と前記デバイス機能部とのうちいずれを有効にすべきかを指定する信号を出力するとともに、前記出力選択部、前記入力選択部及び前記入出力選択部における選択を制御する機能を更に有することを特徴とする映像音声記録再生装置。
【請求項４】
請求項３記載の映像音声記録再生装置において、
前記ディスクドライブは、チェーン状に連結された前記複数の単位回路のうちの一端に位置する単位回路において前記複数の単位回路間の連結に使用されない前記第２バスに接続され、
前記複数の単位回路では、全ての前記第１送受信部における前記デバイス機能部が有効に、前記ホスト機能部が無効にそれぞれ設定され、
前記複数の単位回路の各々の前記データ転送制御部は、当該単位回路に対応した番組に係る映像音声データを前記ディスクドライブへ記録すべきことを示す制御コマンドを個別に発行することを特徴とする映像音声記録再生装置。
【請求項５】
請求項３記載の映像音声記録再生装置において、
前記ディスクドライブは、チェーン状に連結された前記複数の単位回路のうちの一端に位置する単位回路において前記複数の単位回路間の連結に使用されない前記第１バスに接続され、
前記ディスクドライブが接続された単位回路では、前記第１送受信部における前記ホスト機能部が有効に、前記デバイス機能部が無効にそれぞれ設定され、
他の単位回路では、全ての前記第１送受信部における前記デバイス機能部が有効に、前記ホスト機能部が無効にそれぞれ設定され、
前記ディスクドライブが接続された単位回路の前記データ転送制御部は、前記複数の単位回路の各々に対応した番組に係る映像音声データを前記ディスクドライブへ記録すべきことを示す複数の制御コマンドを発行することを特徴とする映像音声記録再生装置。
【請求項６】
請求項１記載の映像音声記録再生装置において、
前記複数の単位回路の各々は、
特定の番組を選局してアナログ映像音声信号を出力するチューナと、
前記チューナからのアナログ映像音声信号をデジタル映像音声信号に変換して前記符号化部へ出力するアナログ・デジタル変換部と、
前記復号化部からのデジタル映像音声信号をアナログ映像音声信号に変換するデジタル・アナログ変換部とを更に備えたことを特徴とする映像音声記録再生装置。
【発明の詳細な説明】
【技術分野】
【０００１】  本発明は、複数番組の同時記録を行う映像音声記録再生装置に関するものである。
【背景技術】
【０００２】  受信した放送番組に係る映像音声データをディスク媒体に記録する際には、通例、符号化部により映像音声信号に圧縮処理を施す。再生の場合には、伸張処理を実行するための復号化部を動作させる。【０００３】  ある従来技術によれば、例えばハードディスクからＤＶＤ（ｄｉｇｉｔａｌ  ｖｅｒｓａｔｉｌｅ  ｄｉｓｋ）へのダビング中でも通常の記録再生動作を実行できるように、録画用の第１符号化部と、再生用の第１復号化部とに加えて、ダビング用に第２復号化部及び第２符号化部が設けられる。ダビングを行わない場合には、第１符号化部と第２符号化部とを並列動作させることにより、２番組同時記録を実現することが可能である。更に第１復号化部を併用することで、２番組同時記録を行いつつ別の番組を再生することも可能である（特許文献１参照）。
【特許文献１】特開２００３−２２４８１３号公報
【発明の開示】
【発明が解決しようとする課題】
【０００４】  上記従来技術は、３番組以上の同時記録への拡張性に欠けるものであった。【０００５】  本発明の目的は、同時に記録できる番組数を容易に増加させることができる映像音声記録再生装置を提供することにある。
【課題を解決するための手段】
【０００６】  上記目的を達成するため、本発明に係る映像音声記録再生装置は、各々符号化部と復号化部とを備えた複数の単位回路をチェーン状に連結した構成を採用したものである。【０００７】  具体的に説明すると、本発明に係る映像音声記録再生装置は、映像音声データの記録のためのディスクドライブと、複数の単位回路とを備え、前記複数の単位回路の各々は、それぞれ映像音声データの転送のための第１及び第２バスと、映像音声信号を映像音声データに符号化する符号化部と、映像音声データを映像音声信号に復号化する復号化部と、前記符号化部からの映像音声データの受信と、前記復号化部への映像音声データの送信と、前記第１バスを用いた映像音声データの転送と、前記第２バスを用いた映像音声データの転送とを司るデータ転送制御部とを備え、前記複数の単位回路がチェーン状に連結されるように、互いに隣接する２個の単位回路のうちの一方の単位回路の前記第１バスと他方の単位回路の前記第２バスとが互いに連結され、前記ディスクドライブは、前記複数の単位回路の前記第１及び第２バスのうちのいずれか１つのバスに接続されたものである。
【発明の効果】
【０００８】  本発明によれば、各々１番組記録機能を有する複数の単位回路をチェーン状に連結することにより、同時に記録できる番組数を容易に増加させることができる映像音声記録再生装置が提供される。
【図面の簡単な説明】
【０００９】
【図１】図１は、本発明に係る映像音声記録再生装置の構成例を示すブロック図である。
【図２】図２は、本発明に係る映像音声記録再生装置の他の構成例を示すブロック図である。
【図３】図３は、図１及び図２中の第１、第２及び第３データ転送制御部の詳細構成例を示すブロック図である。
【符号の説明】
【００１０】１  アンテナ
２ａ，２ｂ  ディスクドライブ
１０，２０，３０  チューナ
１１，２１，３１  ＡＤ変換部
１２，２２，３２  符号化部
１３，２３，３３  データ転送制御部
１４，２４，３４  第１バス
１５，２５，３５  第２バス
１６，２６，３６  復号化部
１７，２７，３７  ＬＳＩ
１８，２８，３８  ＤＡ変換部
１０１  データ転送制御部
１０２  受信部
１０３  第１バス
１０４  第２バス
１０５  第１送受信部
１０６  第２送受信部
１０７  第１選択部
１０８  第２選択部
１０９  制御部
１１０  第３選択部
１１１  送信部
２０１  ホスト機能部
２０２  デバイス機能部
２０３  出力選択部
２０４  入力選択部
２０５  入出力選択部
４０１，５０１  第１連結バス
４０２，５０２  第２連結バス
【発明を実施するための最良の形態】
【００１１】  以下、本発明の実施形態について、図１〜図３を用いて説明する。以下の説明では、ＡＴＡ／ＡＴＡＰＩ（ＡＴ  Ａｔｔａｃｈｍｅｎｔ  ｗｉｔｈ  Ｐａｃｋｅｔ  Ｉｎｔｅｒｆａｃｅ）と呼ばれるＡＮＳＩ（Ａｍｅｒｉｃａｎ  Ｎａｔｉｏｎａｌ  Ｓｔａｎｄａｒｄｓ  Ｉｎｓｔｉｔｕｔｅ）の規格に従って、ホストシステムと複数の記憶デバイスとの間のインターフェイスを実現するものとする。なお、１つのＡＴＡ／ＡＴＡＰＩインターフェイスバスには、１つのホストと２つのデバイスとが接続可能である。【００１２】  図１は、本発明に係る映像音声記録再生装置の構成例を示している。図１の映像音声記録再生装置は、映像音声情報を含む放送波を受信するためのアンテナ１と、各々映像音声データの記録のための第１及び第２ディスクドライブ２ａ，２ｂとの間に、各々１番組記録機能を有する第１、第２及び第３単位回路を配してなるものである。例えば、第１ディスクドライブ２ａはハードディスクドライブ（ＨＤＤ）であり、第２ディスクドライブ２ｂはＤＶＤドライブである。【００１３】  第１単位回路は、第１チューナ１０と、第１アナログ・デジタル（Ａｎａｌｏｇ−ｔｏ−Ｄｉｇｉｔａｌ：ＡＤ）変換部１１と、第１符号化部１２と、第１データ転送制御部１３と、第１バス１４と、第２バス１５と、第１復号化部１６と、第１デジタル・アナログ（Ｄｉｇｉｔａｌ−ｔｏ−Ａｎａｌｏｇ：ＤＡ）変換部１８とで構成される。第１符号化部１２、第１データ転送制御部１３及び第１復号化部１６は、第１ＬＳＩ（Ｌａｒｇｅ−Ｓｃａｌｅ  Ｉｎｔｅｇｒａｔｅｄ  ｃｉｒｃｕｉｔ）１７を構成する。【００１４】  第１チューナ１０は、アンテナ１で受信した情報から特定の番組を選局してアナログ映像音声信号を出力する。第１ＡＤ変換部１１は、第１チューナ１０からのアナログ映像音声信号をデジタル映像音声信号に変換して第１符号化部１２へ出力する。第１符号化部１２は、第１ＡＤ変換部１１からのデジタル映像音声信号を映像音声データに符号化するように圧縮処理を司る。第１データ転送制御部１３は、第１符号化部１２からの映像音声データの受信と、第１復号化部１６への映像音声データの送信と、第１バス１４を用いた映像音声データの転送と、第２バス１５を用いた映像音声データの転送と、第１ＬＳＩ１７の全体制御とを司る。第１及び第２バス１４，１５は、それぞれ映像音声データの転送のためのＡＴＡ／ＡＴＡＰＩインターフェイスバスである。第１復号化部１６は、第１データ転送制御部１３からの映像音声データをデジタル映像音声信号に復号化するように伸張処理を司る。第１ＤＡ変換部１８は、第１復号化部１６からのデジタル映像音声信号をアナログ映像音声信号に変換する。【００１５】  第２単位回路は、第１単位回路と同様の構成を有する。２０は第２チューナ、２１は第２ＡＤ変換部、２２は第２符号化部、２３は第２データ転送制御部、２４は第１バス、２５は第２バス、２６は第２復号化部、２７は第２ＬＳＩ、２８は第２ＤＡ変換部である。【００１６】  第３単位回路は、第１及び第２単位回路と同様の構成を有する。３０は第３チューナ、３１は第３ＡＤ変換部、３２は第３符号化部、３３は第３データ転送制御部、３４は第１バス、３５は第２バス、３６は第３復号化部、３７は第３ＬＳＩ、３８は第３ＤＡ変換部である。【００１７】  第１データ転送制御部１３は、第１ＬＳＩ１７の第１バス１４におけるデバイスとしてのデータ転送と、第１ＬＳＩ１７の第２バス１５におけるホストとしてのデータ転送とを司る。各々ＡＴＡ／ＡＴＡＰＩインターフェイスにおけるデバイスとして機能する第１及び第２ディスクドライブ２ａ，２ｂは、第１ＬＳＩ１７の第２バス１５に接続される。第２データ転送制御部２３は、第２ＬＳＩ２７の第１バス２４におけるデバイスとしてのデータ転送と、第２ＬＳＩ２７の第２バス２５におけるホストとしてのデータ転送とを司る。第１ＬＳＩ１７の第１バス１４と第２ＬＳＩ２７の第２バス２５とは、第１連結バス４０１を介して互いに接続される。第３データ転送制御部３３は、第３ＬＳＩ３７の第１バス３４におけるデバイスとしてのデータ転送と、第３ＬＳＩ３７の第２バス３５におけるホストとしてのデータ転送とを司る。第２ＬＳＩ２７の第１バス２４と第３ＬＳＩ３７の第２バス３５とは、第２連結バス４０２を介して互いに接続される。以上のとおり、第１、第２及び第３ＬＳＩ１７，２７，３７は、第１及び第２連結バス４０１，４０２を介してチェーン状に連結される。【００１８】  ここで、第１チューナ１０で選局された第１番組と第２チューナ２０で選局された第２番組と第３チューナ３０で選局された第３番組とを第１ディスクドライブ２ａへ同時に記録する場合の動作について説明する。ただし、再生動作の説明は省略する。【００１９】  まず、第１番組の記録について説明する。第１データ転送制御部１３は、第１符号化部１２に符号化の実行を命令し、第１符号化部１２により生成された第１番組に対応した映像音声データを受信して、第１番組を第１ディスクドライブ２ａへ記録すべきことを示す制御コマンドと、第１番組に対応した映像音声データとを第２バス１５へ送信する。第１ディスクドライブ２ａは、第１番組を第１ディスクドライブ２ａへ記録すべきことを示す制御コマンドを受信すると、受信した第１番組に対応した映像音声データをハードディスクへ記録する。【００２０】  次に、第２番組の記録について説明する。第２データ転送制御部２３は、第２符号化部２２に符号化の実行を命令し、第２符号化部２２により生成された第２番組に対応した映像音声データを受信して、第２番組を第１ディスクドライブ２ａへ記録すべきことを示す制御コマンドと、第２番組に対応した映像音声データとを第１連結バス４０１へ送信する。第１データ転送制御部１３は、第２番組を第１ディスクドライブ２ａへ記録すべきことを示す制御コマンドを受信すると、第２番組を第１ディスクドライブ２ａへ記録すべきことを示す制御コマンドと、受信した第２番組に対応した映像音声データとを第２バス１５へ送信する。第１ディスクドライブ２ａは、第２番組を第１ディスクドライブ２ａへ記録すべきことを示す制御コマンドを受信すると、受信した第２番組に対応した映像音声データをハードディスクへ記録する。【００２１】  最後に、第３番組の記録について説明する。第３データ転送制御部３３は、第３符号化部３２に符号化の実行を命令し、第３符号化部３２��より生成された第３番組に対応した映像音声データを受信して、第３番組を第１ディスクドライブ２ａへ記録すべきことを示す制御コマンドと、第３番組に対応した映像音声データとを第２連結バス４０２へ送信する。第２データ転送制御部２３は、第３番組を第１ディスクドライブ２ａへ記録すべきことを示す制御コマンドを受信すると、第３番組を第１ディスクドライブ２ａへ記録すべきことを示す制御コマンドと、受信した第３番組に対応した映像音声データとを第１連結バス４０１へ送信する。第１データ転送制御部１３は、第３番組を第１ディスクドライブ２ａへ記録すべきことを示す制御コマンドを受信すると、第３番組を第１ディスクドライブ２ａへ記録すべきことを示す制御コマンドと、受信した第３番組に対応した映像音声データとを第２バス１５へ送信する。第１ディスクドライブ２ａは、第３番組を第１ディスクドライブ２ａへ記録すべきことを示す制御コマンドを受信すると、受信した第３番組に対応した映像音声データをハードディスクへ記録する。【００２２】  以上のとおり、図１の構成によれば、各番組に係る映像音声データを第１ディスクドライブ２ａへ記録すべきことを示す制御コマンドを第１、第２及び第３データ転送制御部１３，２３，３３が個別に発行することにより、３番組の同時記録が達成される。【００２３】  なお、第２ディスクドライブ２ｂへの記録動作も上記と同様である。また、チェーン状に連結する単位回路の数は容易に増減可能である。更に、第１及び第２連結バス４０１，４０２のいずれにもディスクドライブの増設が可能である。【００２４】  図２は、本発明に係る映像音声記録再生装置の他の構成例を示している。第１、第２及び第３単位回路の各々の構成は、図１と同様である。ただし、図２によれば、第１データ転送制御部１３は、第１ＬＳＩ１７の第１バス１４におけるホストとしてのデータ転送と、第１ＬＳＩ１７の第２バス１５におけるホストとしてのデータ転送とを司る。第１及び第２ディスクドライブ２ａ，２ｂは、第１ＬＳＩ１７の第１バス１４に接続される。第２データ転送制御部２３は、第２ＬＳＩ２７の第１バス２４におけるデバイスとしてのデータ転送と、第２ＬＳＩ２７の第２バス２５におけるホストとしてのデータ転送とを司る。第１ＬＳＩ１７の第２バス１５と第２ＬＳＩ２７の第１バス２４とは、第１連結バス５０１を介して互いに接続される。第３データ転送制御部３３は、第３ＬＳＩ３７の第１バス３４におけるデバイスとしてのデータ転送と、第３ＬＳＩ３７の第２バス３５におけるホストとしてのデータ転送とを司る。第２ＬＳＩ２７の第２バス２５と第３ＬＳＩ３７の第１バス３４とは、第２連結バス５０２を介して互いに接続される。以上のとおり、第１、第２及び第３ＬＳＩ１７，２７，３７は、第１及び第２連結バス５０１，５０２を介してチェーン状に連結される。【００２５】  ここで、第１チューナ１０で選局された第１番組と第２チューナ２０で選局された第２番組と第３チューナ３０で選局された第３番組とを第１ディスクドライブ２ａへ同時に記録する場合の動作について説明する。ただし、再生動作の説明は省略する。【００２６】  まず、第１番組の記録について説明する。第１データ転送���御部１３は、第１符号化部１２に符号化の実行を命令し、第１符号化部１２により生成された第１番組に対応した映像音声データを受信して、第１番組を第１ディスクドライブ２ａへ記録すべきことを示す制御コマンドと、第１番組に対応した映像音声データとを第１バス１４へ送信する。第１ディスクドライブ２ａは、第１番組を第１ディスクドライブ２ａへ記録すべきことを示す制御コマンドを受信すると、受信した第１番組に対応した映像音声データをハードディスクへ記録する。【００２７】  次に、第２番組の記録について説明する。第１データ転送制御部１３は、第２番組を第１ディスクドライブ２ａへ記録すべきことを示す制御コマンドを第１連結バス５０１へ送信する。第２データ転送制御部２３は、第２番組を第１ディスクドライブ２ａへ記録すべきことを示す制御コマンドを受信すると、第２符号化部２２に符号化の実行を命令し、第２符号化部２２により生成された第２番組に対応した映像音声データを受信して、第２番組に対応した映像音声データを第１連結バス５０１へ送信する。第１データ転送制御部１３は、第２番組に対応した映像音声データを受信すると、第２番組を第１ディスクドライブ２ａへ記録すべきことを示す制御コマンドと、受信した第２番組に対応した映像音声データとを第１バス１４へ送信する。第１ディスクドライブ２ａは、第２番組を第１ディスクドライブ２ａへ記録すべきことを示す制御コマンドを受信すると、受信した第２番組に対応した映像音声データをハードディスクへ記録する。【００２８】  最後に、第３番組の記録について説明する。第１データ転送制御部１３は、第３番組を第１ディスクドライブ２ａへ記録すべきことを示す制御コマンドを第１連結バス５０１へ送信する。第２データ転送制御部２３は、第３番組を第１ディスクドライブ２ａへ記録すべきことを示す制御コマンドを受信すると、第３番組を第１ディスクドライブ２ａへ記録すべきことを示す制御コマンドを第２連結バス５０２へ送信する。第３データ転送制御部３３は、第３番組を第１ディスクドライブ２ａへ記録すべきことを示す制御コマンドを受信すると、第３符号化部３２に符号化の実行を命令し、第３符号化部３２により生成された第３番組に対応した映像音声データを受信して、第３番組に対応した映像音声データを第２連結バス５０２へ送信する。第２データ転送制御部２３は、第３番組に対応した映像音声データを受信すると、第３番組に対応した映像音声データを第１連結バス５０１へ送信する。第１データ転送制御部１３は、第３番組に対応した映像音声データを受信すると、第３番組を第１ディスクドライブ２ａへ記録すべきことを示す制御コマンドと、受信した第３番組に対応した映像音声データとを第１バス１４へ送信する。第１ディスクドライブ２ａは、第３番組を第１ディスクドライブ２ａへ記録すべきことを示す制御コマンドを受信すると、受信した第３番組に対応した映像音声データをハードディスクへ記録する。【００２９】  以上のとおり、図２の構成によれば、３番組の各々に係る映像音声データを第１ディスクドライブ２ａへ記録すべきことを示す制御コマンドを第１データ転送制御部１３が一元管理して発行することにより、３番組の同時記録が���成される。つまり、単一のデータ転送制御部１３が複数の記録再生動作を一元管理できるので、図１の構成より全体制御の実現性が容易になる。【００３０】  なお、第２ディスクドライブ２ｂへの記録動作も上記と同様である。また、チェーン状に連結する単位回路の数は容易に増減可能である。更に、第１及び第２連結バス５０１，５０２のいずれにも、また第３ＬＳＩ３７の第２バス３５にもディスクドライブの増設が可能である。【００３１】  図３は、図１及び図２中の第１、第２及び第３データ転送制御部１３，２３，３３の詳細構成例を示している。図３に示したデータ転送制御部１０１は、受信部１０２と、第１バス１０３と、第２バス１０４と、第１送受信部１０５と、第２送受信部１０６と、第１選択部１０７と、第２選択部１０８と、制御部１０９と、第３選択部１１０と、送信部１１１とで構成される。図３の第１バス１０３は図１及び図２中の第１バス１４又は２４又は３４に対応し、図３の第２バス１０４は図１及び図２中の第２バス１５又は２５又は３５に対応する。【００３２】  受信部１０２は、前述の第１符号化部１２又は第２符号化部２２又は第３符号化部３２からの映像音声データを受信する。第１送受信部１０５は、第１バス１０３におけるホスト又はデバイスとしての映像音声データの転送を司るように、第１バス１０３から受信した映像音声データを第２及び第３選択部１０８，１１０へ送信する機能と、第１選択部１０７から受信した映像音声データを第１バス１０３へ送信する機能とを有する。第２送受信部１０６は、第２バス１０４におけるホストとしての映像音声データの転送を司るように、第２バス１０４から受信した映像音声データを第１及び第３選択部１０７，１１０へ送信する機能と、第２選択部１０８から受信した映像音声データを第２バス１０４へ送信する機能とを有する。第１選択部１０７は、受信部１０２からの映像音声データと、第２バス１０４から第２送受信部１０６を介して受信した映像音声データとのうちいずれかを選択して第１送受信部１０５へ送信する。第２選択部１０８は、受信部１０２からの映像音声データと、第１バス１０３から第１送受信部１０５を介して受信した映像音声データとのうちいずれかを選択して第２送受信部１０６へ送信する。第３選択部１１０は、受信部１０２からの映像音声データと、第１バス１０３から第１送受信部１０５を介して受信した映像音声データと、第２バス１０４から第２送受信部１０６を介して受信した映像音声データとのうちいずれかを選択して送信部１１１へ送信する。制御部１０９は、第１、第２及び第３選択部１０７，１０８，１１０における映像音声データの選択を、それぞれ第１、第２及び第３選択信号ＳＥＬ１，ＳＥＬ２，ＳＥＬ３により制御する。送信部１１１は、前述の第１復号化部１６又は第２復号化部２６又は第３復号化部３６へ映像音声データを送信する。【００３３】  第１送受信部１０５は、ホスト機能部２０１と、デバイス機能部２０２と、出力選択部２０３と、入力選択部２０４と、入出力選択部２０５とで構成される。ホスト機能部２０１は、第１バス１０３におけるホストとしての映像音声データの転送を司るとともに、制御部１０９へホスト制御コマンド��ＣＭＤを供給する。デバイス機能部２０２は、第１バス１０３におけるデバイスとしての映像音声データの転送を司るともに、制御部１０９へデバイス制御コマンドＤＣＭＤを供給する。出力選択部２０３は、第１選択部１０７から受信した映像音声データをホスト機能部２０１とデバイス機能部２０２とのうちいずれへ出力するかを選択する。入力選択部２０４は、ホスト機能部２０１から入力した映像音声データとデバイス機能部２０２から入力した映像音声データとのうちいずれを第２及び第３選択部１０８，１１０へ送信するかを選択する。入出力選択部２０５は、ホスト機能部２０１とデバイス機能部２０２とのうちいずれを第１バス１０３へ接続するかを選択する。制御部１０９は、ホスト機能部２０１とデバイス機能部２０２とのうちいずれを有効にすべきかを指定し、かつ出力選択部２０３、入力選択部２０４及び入出力選択部２０５における選択を制御するように、ホスト／デバイス指定信号Ｈ／Ｄを第１送受信部１０５へ出力する。また、制御部１０９は、ホスト制御コマンドＨＣＭＤ又はデバイス制御コマンドＤＣＭＤを受け取るとともに、第２送受信部１０６から供給された制御コマンドＣＭＤを受け取る。【００３４】  図３のデータ転送制御部１０１を図２中の第１データ転送制御部１３として用いる場合には、ホスト／デバイス指定信号Ｈ／Ｄにより、ホスト機能部２０１が有効に、デバイス機能部２０２が無効にそれぞれ設定される。この場合、出力選択部２０３は、第１選択部１０７から受信した映像音声データをホスト機能部２０１へ出力する。入力選択部２０４は、ホスト機能部２０１から入力した映像音声データを第２及び第３選択部１０８，１１０へ送信する。また、入出力選択部２０５は、ホスト機能部２０１を第１バス１０３へ接続する。これにより、第１送受信部１０５は、第１バス１０３におけるホストとしての映像音声データの転送を司るようになる。ホスト機能部２０１は、例えば第１選択信号ＳＥＬ１を生成させるようにホスト制御コマンドＨＣＭＤを制御部１０９に与え、第１選択部１０７を介してある番組の映像音声データを受信し、当該映像音声データを第１ディスクドライブ２ａ又は第２ディスクドライブ２ｂへ記録すべきことを示す制御コマンドと、当該映像音声データとを第１バス１０３へ送信する。【００３５】  図３のデータ転送制御部１０１を図１中の第１データ転送制御部１３若しくは第２データ転送制御部２３若しくは第３データ転送制御部３３、又は、図２中の第２データ転送制御部２３若しくは第３データ転送制御部３３として用いる場合には、ホスト／デバイス指定信号Ｈ／Ｄにより、デバイス機能部２０２が有効に、ホスト機能部２０１が無効にそれぞれ設定される。この場合、出力選択部２０３は、第１選択部１０７から受信した映像音声データをデバイス機能部２０２へ出力する。入力選択部２０４は、デバイス機能部２０２から入力した映像音声データを第２及び第３選択部１０８，１１０へ送信する。また、入出力選択部２０５は、デバイス機能部２０２を第１バス１０３へ接続する。これにより、第１送受信部１０５は、第１バス１０３におけるデバイスとしての映像音声データの転送を司るようになる。デバイス機能部２０２���、第１バス１０３を介して受信した制御コマンドを解析し、当該制御コマンドの内容に応じて、例えば第２選択信号ＳＥＬ２を生成させるようにデバイス制御コマンドＤＣＭＤを制御部１０９に与え、第１バス１０３を介して受信した映像音声データが第２選択部１０８及び第２送受信部１０６を介して第２バス１０４へ送信されるように制御する。【００３６】  第２送受信部１０６は、第２バス１０４におけるホストとしての映像音声データの転送を司る。ただし、第２送受信部１０６もまた、ホスト機能とデバイス機能との切替が可能な第１送受信部１０５と同様の内部構成を備えることとしてもよい。図２のＬＳＩ連結態様を採用せず、図１のＬＳＩ連結態様のみを採用する場合には、第１送受信部１０５がデバイス機能のみを、第２送受信部１０６がホスト機能のみをそれぞれ有するようにデータ転送制御部１０１の構成を簡略化できる。【００３７】  以上のとおり、図１〜図３の構成によれば、各々同一の内部構成を持つ第１、第２及び第３ＬＳＩ１７，２７，３７をチェーン状に連結して３番組同時記録を達成することができる。ただし、チェーン状に連結するＬＳＩの数は任意に増減可能である。また、１番組記録機能を有する単一のＬＳＩでも利用価値が高い。【００３８】  ＤＶＤレコーダの市場を考えると、普及機モデルでは１番組記録機能を有する安価な装置が要求される一方、中級機から高級機モデルでは複数番組同時記録機能が要求される。本発明によれば、同一のＬＳＩを普及機モデル向けと中級機から高級機モデル向けとの双方に供給することができる。また、同一のＬＳＩを複数のモデルで共用できることから、ＬＳＩのライフサイクルが長く、かつソフトウェア資産を有効利用できる。【００３９】  なお、各ＬＳＩにＡＤ変換部及び／又はＤＡ変換部を更に内蔵させてもよい。更にチューナを各ＬＳＩに内蔵させることも可能である。【００４０】  図１及び図２中の第１及び第２ディスクドライブ２ａ，２ｂのうちいずれか一方の配設を省略することとしてもよい。また、デバイス接続数の制約を超えない限り、前述のとおりディスクドライブを増設することも可能である。接続されるディスクドライブは、磁気ディスクドライブ、光ディスクドライブ等、任意である。
【産業上の利用可能性】
【００４１】  以上説明してきたとおり、本発明に係る映像音声記録再生装置は、各々１番組記録機能を有する複数の単位回路をチェーン状に連結することにより、同時に記録できる番組数を容易に増加させることができ、ＤＶＤレコーダ等として有用である。
【図１】
2007007465.tif 000002
【図２】
2007007465.tif 000003
【図３】
2007007465.tif 000004
【手続補正書】
【提出日】平成19年4月17日(2007.4.17)
【手続補正１】
【補正対象書類名】特許請求の範囲
【補正対象項目名】全文
【補正方法】変更
【補正の内容】
【特許請求の範囲】
【請求項１】
映像音声データの記録のためのディスクドライブと、複数の単位回路とを備えた映像音声記録再生装置であって、
前記複数の単位回路の各々は、
それぞれ映像音声データの転送のための第１及び第２バスと、
映像音声信号を映像音声データに符号化する符号化部と、
映像音声データを映像音声信号に復号化する復号化部と、
前記符号化部からの映像音声データの受信と、前記復号化部への映像音声データの送信と、前記第１バスを用いた映像音声データの転送と、前記第２バスを用いた映像音声データの転送とを司るデータ転送制御部とを備え、
前記複数の単位回路がチェーン状に連結されるように、互いに隣接する２個の単位回路のうちの一方の単位回路の前記第１バスと他方の単位回路の前記第２バスとが互いに連結され、
前記ディスクドライブは、前記複数の単位回路の前記第１及び第２バスのうちのいずれか１つのバスに接続されたことを特徴とする映像音声記録再生装置。
【請求項２】
請求項１記載の映像音声記録再生装置において、
前記データ転送制御部は、
前記符号化部からの映像音声データを受信する受信部と、
前記復号化部へ映像音声データを送信する送信部と、
前記第１バスを用いた映像音声データの転送を司る第１送受信部と、
前記第２バスを用いた映像音声データの転送を司る第２送受信部と、
前記受信部からの映像音声データと、前記第２バスから前記第２送受信部を介して受信した映像音声データとのうちいずれかを選択して前記第１送受信部へ送信する第１選択部と、
前記受信部からの映像音声データと、前記第１バスから前記第１送受信部を介して受信した映像音声データとのうちいずれかを選択して前記第２送受信部へ送信する第２選択部と、
前記受信部からの映像音声データと、前記第１バスから前記第１送受信部を介して受信した映像音声データと、前記第２バスから前記第２送受信部を介して受信した映像音声データとのうちいずれかを選択して前記送信部へ送信する第３選択部と、
前記第１、第２及び第３選択部における映像音声データの選択を制御する制御部とを備え、
前記第１送受信部は、前記第１バスから受信した映像音声データを前記第２及び第３選択部へ送信する機能と、前記第１選択部から受信した映像音声データを前記第１バスへ送信する機能とを有し、
前記第２送受信部は、前記第２バスから受信した映像音声データを前記第１及び第３選択部へ送信する機能と、前記第２選択部から受信した映像音声データを前記第２バスへ送信する機能とを有することを特徴とする映像音声記録再生装置。
【請求項３】
請求項２記載の映像音声記録再生装置において、
前記第１及び第２バスは、各々ＡＴＡ／ＡＴＡＰＩ（AT Attachment with Packet Interface）インターフェイスバスであり、
前記第２送受信部は、前記第２バスにおけるホストとしての映像音声データの転送を司る機能を有し、
前記第１送受信部は、
前記第１バスにおけるホストとしての映像音声データの転送を司るホスト機能部と、
前記第１バスにおけるデバイスとしての映像音声データの転送を司るデバイス機能部と、
前記第１選択部から受信した映像音声データを前記ホスト機能部と前記デバイス機能部とのうちいずれへ出力するかを選択する出力選択部と、
前記ホスト機能部から入力した映像音声データと前記デバイス機能部から入力した映像音声データとのうちいずれを前記第２及び第３選択部へ送信するかを選択する入力選択部と、
前記ホスト機能部と前記デバイス機能部とのうちいずれを前記第１バスへ接続するかを選択する入出力選択部とを備え、
前記制御部は、前記ホスト機能部と前記デバイス機能部とのうちいずれを有効にすべきかを指定する信号を出力するとともに、前記出力選択部、前記入力選択部及び前記入出力選択部における選択を制御する機能を更に有することを特徴とする映像音声記録再生装置。
【請求項４】
請求項３記載の映像音声記録再生装置において、
前記ディスクドライブは、チェーン状に連結された前記複数の単位回路のうちの一端に位置する単位回路において前記複数の単位回路間の連結に使用されない前記第２バスに接続され、
前記複数の単位回路では、全ての前記第１送受信部における前記デバイス機能部が有効に、前記ホスト機能部が無効にそれぞれ設定され、
前記複数の単位回路の各々の前記データ転送制御部は、当該単位回路に対応した番組に係る映像音声データを前記ディスクドライブへ記録すべきことを示す制御コマンドを個別に発行することを特徴とする映像音声記録再生装置。
【請求項５】
請求項３記載の映像音声記録再生装置において、
前記ディスクドライブは、チェーン状に連結された前記複数の単位回路のうちの一端に位置する単位回路において前記複数の単位回路間の連結に使用されない前記第１バスに接続され、
前記ディスクドライブが接続された単位回路では、前記第１送受信部における前記ホスト機能部が有効に、前記デバイス機能部が無効にそれぞれ設定され、
他の単位回路では、全ての前記第１送受信部における前記デバイス機能部が有効に、前記ホスト機能部が無効にそれぞれ設定され、
前記ディスクドライブが接続された単位回路の前記データ転送制御部は、前記複数の単位回路の各々に対応した番組に係る映像音声データを前記ディスクドライブへ記録すべきことを示す複数の制御コマンドを発行することを特徴とする映像音声記録再生装置。
【請求項６】
請求項１記載の映像音声記録再生装置において、
前記複数の単位回路の各々は、
特定の番組を選局してアナログ映像音声信号を出力するチューナと、
前記チューナからのアナログ映像音声信号をデジタル映像音声信号に変換して前記符号化部へ出力するアナログ・デジタル変換部と、
前記復号化部からのデジタル映像音声信号をアナログ映像音声信号に変換するデジタル・アナログ変換部とを更に備えたことを特徴とする映像音声記録再生装置。
【手続補正２】
【補正対象書類名】明細書
【補正対象項目名】全文
【補正方法】変更
【補正の内容】
【発明の詳細な説明】
【技術分野】
【０００１】
本発明は、複数番組の同時記録を行う映像音声記録再生装置に関するものである。
【背景技術】
【０００２】
受信した放送番組に係る映像音声データをディスク媒体に記録する際には、通例、符号化部により映像音声信号に圧縮処理を施す。再生の場合には、伸張処理を実行するための復号化部を動作させる。
【０００３】
ある従来技術によれば、例えばハードディスクからＤＶＤ（digital versatile disk）へのダビング中でも通常の記録再生動作を実行できるように、録画用の第１符号化部と、再生用の第１復号化部とに加えて、ダビング用に第２復号化部及び第２符号化部が設けられる。ダビングを行わない場合には、第１符号化部と第２符号化部とを並列動作させることにより、２番組同時記録を実現することが可能である。更に第１復号化部を併用することで、２番組同時記録を行いつつ別の番組を再生することも可能である（特許文献１参照）。
【特許文献１】特開２００３−２２４８１３号公報
【発明の開示】
【発明が解決しようとする課題】
【０００４】
上記従来技術は、３番組以上の同時記録への拡張性に欠けるものであった。
【０００５】
本発明の目的は、同時に記録できる番組数を容易に増加させることができる映像音声記録再生装置を提供することにある。
【課題を解決するための手段】
【０００６】
上記目的を達成するため、本発明に係る映像音声記録再生装置は、各々符号化部と復号化部とを備えた複数の単位回路をチェーン状に連結した構成を採用したものである。
【０００７】
具体的に説明すると、本発明に係る映像音声記録再生装置は、映像音声データの記録のためのディスクドライブと、複数の単位回路とを備え、前記複数の単位回路の各々は、それぞれ映像音声データの転送のための第１及び第２バスと、映像音声信号を映像音声データに符号化する符号化部と、映像音声データを映像音声信号に復号化する復号化部と、前記符号化部からの映像音声データの受信と、前記復号化部への映像音声データの送信と、前記第１バスを用いた映像音声データの転送と、前記第２バスを用いた映像音声データの転送とを司るデータ転送制御部とを備え、前記複数の単位回路がチェーン状に連結されるように、互いに隣接する２個の単位回路のうちの一方の単位回路の前記第１バスと他方の単位回路の前記第２バスとが互いに連結され、前記ディスクドライブは、前記複数の単位回路の前記第１及び第２バスのうちのいずれか１つのバスに接続されたものである。
【発明の効果】
【０００８】
本発明によれば、各々１番組記録機能を有する複数の単位回路をチェーン状に連結することにより、同時に記録できる番組数を容易に増加させることができる映像音声記録再生装置が提供される。
【発明を実施するための最良の形態】
【０００９】
以下、本発明の実施形態について、図１〜図３を用いて説明する。以下の説明では、ＡＴＡ／ＡＴＡＰＩ（AT Attachment with Packet Interface）と呼ばれるＡＮＳＩ（American National Standards Institute）の規格に従って、ホストシステムと複数の記憶デバイスとの間のインターフェイスを実現するものとする。なお、１つのＡＴＡ／ＡＴＡＰＩインターフェイスバスには、１つのホストと２つのデバイスとが接続可能である。
【００１０】
図１は、本発明に係る映像音声記録再生装置の構成例を示している。図１の映像音声記録再生装置は、映像音声情報を含む放送波を受信するためのアンテナ１と、各々映像音声データの記録のための第１及び第２ディスクドライブ２ａ，２ｂとの間に、各々１番組記録機能を有する第１、第２及び第３単位回路を配してなるものである。例えば、第１ディスクドライブ２ａはハードディスクドライブ（ＨＤＤ）であり、第２ディスクドライブ２ｂはＤＶＤドライブである。
【００１１】
第１単位回路は、第１チューナ１０と、第１アナログ・デジタル（Analog-to-Digital：ＡＤ）変換部１１と、第１符号化部１２と、第１データ転送制御部１３と、第１バス１４と、第２バス１５と、第１復号化部１６と、第１デジタル・アナログ（Digital-to-Analog：ＤＡ）変換部１８とで構成される。第１符号化部１２、第１データ転送制御部１３及び第１復号化部１６は、第１ＬＳＩ（Large-Scale Integrated circuit）１７を構成する。
【００１２】
第１チューナ１０は、アンテナ１で受信した情報から特定の番組を選局してアナログ映像音声信号を出力する。第１ＡＤ変換部１１は、第１チューナ１０からのアナログ映像音声信号をデジタル映像音声信号に変換して第１符号化部１２へ出力する。第１符号化部１２は、第１ＡＤ変換部１１からのデジタル映像音声信号を映像音声データに符号化するように圧縮処理を司る。第１データ転送制御部１３は、第１符号化部１２からの映像音声データの受信と、第１復号化部１６への映像音声データの送信と、第１バス１４を用いた映像音声データの転送と、第２バス１５を用いた映像音声データの転送と、第１ＬＳＩ１７の全体制御とを司る。第１及び第２バス１４，１５は、それぞれ映像音声データの転送のためのＡＴＡ／ＡＴＡＰＩインターフェイスバスである。第１復号化部１６は、第１データ転送制御部１３からの映像音声データをデジタル映像音声信号に復号化するように伸張処理を司る。第１ＤＡ変換部１８は、第１復号化部１６からのデジタル映像音声信号をアナログ映像音声信号に変換する。
【００１３】
第２単位回路は、第１単位回路と同様の構成を有する。２０は第２チューナ、２１は第２ＡＤ変換部、２２は第２符号化部、２３は第２データ転送制御部、２４は第１バス、２５は第２バス、２６は第２復号化部、２７は第２ＬＳＩ、２８は第２ＤＡ変換部である。
【００１４】
第３単位回路は、第１及び第２単位回路と同様の構成を有する。３０は第３チューナ、３１は第３ＡＤ変換部、３２は第３符号化部、３３は第３データ転送制御部、３４は第１バス、３５は第２バス、３６は第３復号化部、３７は第３ＬＳＩ、３８は第３ＤＡ変換部である。
【００１５】
第１データ転送制御部１３は、第１ＬＳＩ１７の第１バス１４におけるデバイスとしてのデータ転送と、第１ＬＳＩ１７の第２バス１５におけるホストとしてのデータ転送とを司る。各々ＡＴＡ／ＡＴＡＰＩインターフェイスにおけるデバイスとして機能する第１及び第２ディスクドライブ２ａ，２ｂは、第１ＬＳＩ１７の第２バス１５に接続される。第２データ転送制御部２３は、第２ＬＳＩ２７の第１バス２４におけるデバイスとしてのデータ転送と、第２ＬＳＩ２７の第２バス２５におけるホストとしてのデータ転送とを司る。第１ＬＳＩ１７の第１バス１４と第２ＬＳＩ２７の第２バス２５とは、第１連結バス４０１を介して互いに接続される。第３データ転送制御部３３は、第３ＬＳＩ３７の第１バス３４におけるデバイスとしてのデータ転送と、第３ＬＳＩ３７の第２バス３５におけるホストとしてのデータ転送とを司る。第２ＬＳＩ２７の第１バス２４と第３ＬＳＩ３７の第２バス３５とは、第２連結バス４０２を介して互いに接続される。以上のとおり、第１、第２及び第３ＬＳＩ１７，２７，３７は、第１及び第２連結バス４０１，４０２を介してチェーン状に連結される。
【００１６】
ここで、第１チューナ１０で選局された第１番組と第２チューナ２０で選局された第２番組と第３チューナ３０で選局された第３番組とを第１ディスクドライブ２ａへ同時に記録する場合の動作について説明する。ただし、再生動作の説明は省略する。
【００１７】
まず、第１番組の記録について説明する。第１データ転送制御部１３は、第１符号化部１２に符号化の実行を命令し、第１符号化部１２により生成された第１番組に対応した映像音声データを受信して、第１番組を第１ディスクドライブ２ａへ記録すべきことを示す制御コマンドと、第１番組に対応した映像音声データとを第２バス１５へ送信する。第１ディスクドライブ２ａは、第１番組を第１ディスクドライブ２ａへ記録すべきことを示す制御コマンドを受信すると、受信した第１番組に対応した映像音声データをハードディスクへ記録する。
【００１８】
次に、第２番組の記録について説明する。第２データ転送制御部２３は、第２符号化部２２に符号化の実行を命令し、第２符号化部２２により生成された第２番組に対応した映像音声データを受信して、第２番組を第１ディスクドライブ２ａへ記録すべきことを示す制御コマンドと、第２番組に対応した映像音声データとを第１連結バス４０１へ送信する。第１データ転送制御部１３は、第２番組を第１ディスクドライブ２ａへ記録すべきことを示す制御コマンドを受信すると、第２番組を第１ディスクドライブ２ａへ記録すべきことを示す制御コマンドと、受信した第２番組に対応した映像音声データとを第２バス１５へ送信する。第１ディスクドライブ２ａは、第２番組を第１ディスクドライブ２ａへ記録すべきことを示す制御コマンドを受信すると、受信した第２番組に対応した映像音声データをハードディスクへ記録する。
【００１９】
最後に、第３番組の記録について説明する。第３データ転送制御部３３は、第３符号化部３２に符号化の実行を命令し、第３符号化部３２により生成された第３番組に対応した映像音声データを受信して、第３番組を第１ディスクドライブ２ａへ記録すべきことを示す制御コマンドと、第３番組に対応した映像音声データとを第２連結バス４０２へ送信する。第２データ転送制御部２３は、第３番組を第１ディスクドライブ２ａへ記録すべきことを示す制御コマンドを受信すると、第３番組を第１ディスクドライブ２ａへ記録すべきことを示す制御コマンドと、受信した第３番組に対応した映像音声データとを第１連結バス４０１へ送信する。第１データ転送制御部１３は、第３番組を第１ディスクドライブ２ａへ記録すべきことを示す制御コマンドを受信すると、第３番組を第１ディスクドライブ２ａへ記録すべきことを示す制御コマンドと、受信した第３番組に対応した映像音声データとを第２バス１５へ送信する。第１ディスクドライブ２ａは、第３番組を第１ディスクドライブ２ａへ記録すべきことを示す制御コマンドを受信すると、受信した第３番組に対応した映像音声データをハードディスクへ記録する。
【００２０】
以上のとおり、図１の構成によれば、各番組に係る映像音声データを第１ディスクドライブ２ａへ記録すべきことを示す制御コマンドを第１、第２及び第３データ転送制御部１３，２３，３３が個別に発行することにより、３番組の同時記録が達成される。
【００２１】
なお、第２ディスクドライブ２ｂへの記録動作も上記と同様である。また、チェーン状に連結する単位回路の数は容易に増減可能である。更に、第１及び第２連結バス４０１，４０２のいずれにもディスクドライブの増設が可能である。
【００２２】
図２は、本発明に係る映像音声記録再生装置の他の構成例を示している。第１、第２及び第３単位回路の各々の構成は、図１と同様である。ただし、図２によれば、第１データ転送制御部１３は、第１ＬＳＩ１７の第１バス１４におけるホストとしてのデータ転送と、第１ＬＳＩ１７の第２バス１５におけるホストとしてのデータ転送とを司る。第１及び第２ディスクドライブ２ａ，２ｂは、第１ＬＳＩ１７の第１バス１４に接続される。第２データ転送制御部２３は、第２ＬＳＩ２７の第１バス２４におけるデバイスとしてのデータ転送と、第２ＬＳＩ２７の第２バス２５におけるホストとしてのデータ転送とを司る。第１ＬＳＩ１７の第２バス１５と第２ＬＳＩ２７の第１バス２４とは、第１連結バス５０１を介して互いに接続される。第３データ転送制御部３３は、第３ＬＳＩ３７の第１バス３４におけるデバイスとしてのデータ転送と、第３ＬＳＩ３７の第２バス３５におけるホストとしてのデータ転送とを司る。第２ＬＳＩ２７の第２バス２５と第３ＬＳＩ３７の第１バス３４とは、第２連結バス５０２を介して互いに接続される。以上のとおり、第１、第２及び第３ＬＳＩ１７，２７，３７は、第１及び第２連結バス５０１，５０２を介してチェーン状に連結される。
【００２３】
ここで、第１チューナ１０で選局された第１番組と第２チューナ２０で選局された第２番組と第３チューナ３０で選局された第３番組とを第１ディスクドライブ２ａへ同時に記録する場合の動作について説明する。ただし、再生動作の説明は省略する。
【００２４】
まず、第１番組の記録について説明する。第１データ転送制御部１３は、第１符号化部１２に符号化の実行を命令し、第１符号化部１２により生成された第１番組に対応した映像音声データを受信して、第１番組を第１ディスクドライブ２ａへ記録すべきことを示す制御コマンドと、第１番組に対応した映像音声データとを第１バス１４へ送信する。第１ディスクドライブ２ａは、第１番組を第１ディスクドライブ２ａへ記録すべきことを示す制御コマンドを受信すると、受信した第１番組に対応した映像音声データをハードディスクへ記録する。
【００２５】
次に、第２番組の記録について説明する。第１データ転送制御部１３は、第２番組を第１ディスクドライブ２ａへ記録すべきことを示す制御コマンドを第１連結バス５０１へ送信する。第２データ転送制御部２３は、第２番組を第１ディスクドライブ２ａへ記録すべきことを示す制御コマンドを受信すると、第２符号化部２２に符号化の実行を命令し、第２符号化部２２により生成された第２番組に対応した映像音声データを受信して、第２番組に対応した映像音声データを第１連結バス５０１へ送信する。第１データ転送制御部１３は、第２番組に対応した映像音声データを受信すると、第２番組を第１ディスクドライブ２ａへ記録すべきことを示す制御コマンドと、受信した第２番組に対応した映像音声データとを第１バス１４へ送信する。第１ディスクドライブ２ａは、第２番組を第１ディスクドライブ２ａへ記録すべきことを示す制御コマンドを受信すると、受信した第２番組に対応した映像音声データをハードディスクへ記録する。
【００２６】
最後に、第３番組の記録について説明する。第１データ転送制御部１３は、第３番組を第１ディスクドライブ２ａへ記録すべきことを示す制御コマンドを第１連結バス５０１へ送信する。第２データ転送制御部２３は、第３番組を第１ディスクドライブ２ａへ記録すべきことを示す制御コマンドを受信すると、第３番組を第１ディスクドライブ２ａへ記録すべきことを示す制御コマンドを第２連結バス５０２へ送信する。第３データ転送制御部３３は、第３番組を第１ディスクドライブ２ａへ記録すべきことを示す制御コマンドを受信すると、第３符号化部３２に符号化の実行を命令し、第３符号化部３２により生成された第３番組に対応した映像音声データを受信して、第３番組に対応した映像音声データを第２連結バス５０２へ送信する。第２データ転送制御部２３は、第３番組に対応した映像音声データを受信すると、第３番組に対応した映像音声データを第１連結バス５０１へ送信する。第１データ転送制御部１３は、第３番組に対応した映像音声データを受信すると、第３番組を第１ディスクドライブ２ａへ記録すべきことを示す制御コマンドと、受信した第３番組に対応した映像音声データとを第１バス１４へ送信する。第１ディスクドライブ２ａは、第３番組を第１ディスクドライブ２ａへ記録すべきことを示す制御コマンドを受信すると、受信した第３番組に対応した映像音声データをハードディスクへ記録する。
【００２７】
以上のとおり、図２の構成によれば、３番組の各々に係る映像音声データを第１ディスクドライブ２ａへ記録すべきことを示す制御コマンドを第１データ転送制御部１３が一元管理して発行することにより、３番組の同時記録が達成される。つまり、単一のデータ転送制御部１３が複数の記録再生動作を一元管理できるので、図１の構成より全体制御の実現性が容易になる。
【００２８】
なお、第２ディスクドライブ２ｂへの記録動作も上記と同様である。また、チェーン状に連結する単位回路の数は容易に増減可能である。更に、第１及び第２連結バス５０１，５０２のいずれにも、また第３ＬＳＩ３７の第２バス３５にもディスクドライブの増設が可能である。
【００２９】
図３は、図１及び図２中の第１、第２及び第３データ転送制御部１３，２３，３３の詳細構成例を示している。図３に示したデータ転送制御部１０１は、受信部１０２と、第１バス１０３と、第２バス１０４と、第１送受信部１０５と、第２送受信部１０６と、第１選択部１０７と、第２選択部１０８と、制御部１０９と、第３選択部１１０と、送信部１１１とで構成される。図３の第１バス１０３は図１及び図２中の第１バス１４又は２４又は３４に対応し、図３の第２バス１０４は図１及び図２中の第２バス１５又は２５又は３５に対応する。
【００３０】
受信部１０２は、前述の第１符号化部１２又は第２符号化部２２又は第３符号化部３２からの映像音声データを受信する。第１送受信部１０５は、第１バス１０３におけるホスト又はデバイスとしての映像音声データの転送を司るように、第１バス１０３から受信した映像音声データを第２及び第３選択部１０８，１１０へ送信する機能と、第１選択部１０７から受信した映像音声データを第１バス１０３へ送信する機能とを有する。第２送受信部１０６は、第２バス１０４におけるホストとしての映像音声データの転送を司るように、第２バス１０４から受信した映像音声データを第１及び第３選択部１０７，１１０へ送信する機能と、第２選択部１０８から受信した映像音声データを第２バス１０４へ送信する機能とを有する。第１選択部１０７は、受信部１０２からの映像音声データと、第２バス１０４から第２送受信部１０６を介して受信した映像音声データとのうちいずれかを選択して第１送受信部１０５へ送信する。第２選択部１０８は、受信部１０２からの映像音声データと、第１バス１０３から第１送受信部１０５を介して受信した映像音声データとのうちいずれかを選択して第２送受信部１０６へ送信する。第３選択部１１０は、受信部１０２からの映像音声データと、第１バス１０３から第１送受信部１０５を介して受信した映像音声データと、第２バス１０４から第２送受信部１０６を介して受信した映像音声データとのうちいずれかを選択して送信部１１１へ送信する。制御部１０９は、第１、第２及び第３選択部１０７，１０８，１１０における映像音声データの選択を、それぞれ第１、第２及び第３選択信号ＳＥＬ１，ＳＥＬ２，ＳＥＬ３により制御する。送信部１１１は、前述の第１復号化部１６又は第２復号化部２６又は第３復号化部３６へ映像音声データを送信する。
【００３１】
第１送受信部１０５は、ホスト機能部２０１と、デバイス機能部２０２と、出力選択部２０３と、入力選択部２０４と、入出力選択部２０５とで構成される。ホスト機能部２０１は、第１バス１０３におけるホストとしての映像音声データの転送を司るとともに、制御部１０９へホスト制御コマンドＨＣＭＤを供給する。デバイス機能部２０２は、第１バス１０３におけるデバイスとしての映像音声データの転送を司るともに、制御部１０９へデバイス制御コマンドＤＣＭＤを供給する。出力選択部２０３は、第１選択部１０７から受信した映像音声データをホスト機能部２０１とデバイス機能部２０２とのうちいずれへ出力するかを選択する。入力選択部２０４は、ホスト機能部２０１から入力した映像音声データとデバイス機能部２０２から入力した映像音声データとのうちいずれを第２及び第３選択部１０８，１１０へ送信するかを選択する。入出力選択部２０５は、ホスト機能部２０１とデバイス機能部２０２とのうちいずれを第１バス１０３へ接続するかを選択する。制御部１０９は、ホスト機能部２０１とデバイス機能部２０２とのうちいずれを有効にすべきかを指定し、かつ出力選択部２０３、入力選択部２０４及び入出力選択部２０５における選択を制御するように、ホスト／デバイス指定信号Ｈ／Ｄを第１送受信部１０５へ出力する。また、制御部１０９は、ホスト制御コマンドＨＣＭＤ又はデバイス制御コマンドＤＣＭＤを受け取るとともに、第２送受信部１０６から供給された制御コマンドＣＭＤを受け取る。
【００３２】
図３のデータ転送制御部１０１を図２中の第１データ転送制御部１３として用いる場合には、ホスト／デバイス指定信号Ｈ／Ｄにより、ホスト機能部２０１が有効に、デバイス機能部２０２が無効にそれぞれ設定される。この場合、出力選択部２０３は、第１選択部１０７から受信した映像音声データをホスト機能部２０１へ出力する。入力選択部２０４は、ホスト機能部２０１から入力した映像音声データを第２及び第３選択部１０８，１１０へ送信する。また、入出力選択部２０５は、ホスト機能部２０１を第１バス１０３へ接続する。これにより、第１送受信部１０５は、第１バス１０３におけるホストとしての映像音声データの転送を司るようになる。ホスト機能部２０１は、例えば第１選択信号ＳＥＬ１を生成させるようにホスト制御コマンドＨＣＭＤを制御部１０９に与え、第１選択部１０７を介してある番組の映像音声データを受信し、当該映像音声データを第１ディスクドライブ２ａ又は第２ディスクドライブ２ｂへ記録すべきことを示す制御コマンドと、当該映像音声データとを第１バス１０３へ送信する。
【００３３】
図３のデータ転送制御部１０１を図１中の第１データ転送制御部１３若しくは第２データ転送制御部２３若しくは第３データ転送制御部３３、又は、図２中の第２データ転送制御部２３若しくは第３データ転送制御部３３として用いる場合には、ホスト／デバイス指定信号Ｈ／Ｄにより、デバイス機能部２０２が有効に、ホスト機能部２０１が無効にそれぞれ設定される。この場合、出力選択部２０３は、第１選択部１０７から受信した映像音声データをデバイス機能部２０２へ出力する。入力選択部２０４は、デバイス機能部２０２から入力した映像音声データを第２及び第３選択部１０８，１１０へ送信する。また、入出力選択部２０５は、デバイス機能部２０２を第１バス１０３へ接続する。これにより、第１送受信部１０５は、第１バス１０３におけるデバイスとしての映像音声データの転送を司るようになる。デバイス機能部２０２は、第１バス１０３を介して受信した制御コマンドを解析し、当該制御コマンドの内容に応じて、例えば第２選択信号ＳＥＬ２を生成させるようにデバイス制御コマンドＤＣＭＤを制御部１０９に与え、第１バス１０３を介して受信した映像音声データが第２選択部１０８及び第２送受信部１０６を介して第２バス１０４へ送信されるように制御する。
【００３４】
第２送受信部１０６は、第２バス１０４におけるホストとしての映像音声データの転送を司る。ただし、第２送受信部１０６もまた、ホスト機能とデバイス機能との切替が可能な第１送受信部１０５と同様の内部構成を備えることとしてもよい。図２のＬＳＩ連結態様を採用せず、図１のＬＳＩ連結態様のみを採用する場合には、第１送受信部１０５がデバイス機能のみを、第２送受信部１０６がホスト機能のみをそれぞれ有するようにデータ転送制御部１０１の構成を簡略化できる。
【００３５】
以上のとおり、図１〜図３の構成によれば、各々同一の内部構成を持つ第１、第２及び第３ＬＳＩ１７，２７，３７をチェーン状に連結して３番組同時記録を達成することができる。ただし、チェーン状に連結するＬＳＩの数は任意に増減可能である。また、１番組記録機能を有する単一のＬＳＩでも利用価値が高い。
【００３６】
ＤＶＤレコーダの市場を考えると、普及機モデルでは１番組記録機能を有する安価な装置が要求される一方、中級機から高級機モデルでは複数番組同時記録機能が要求される。本発明によれば、同一のＬＳＩを普及機モデル向けと中級機から高級機モデル向けとの双方に供給することができる。また、同一のＬＳＩを複数のモデルで共用できることから、ＬＳＩのライフサイクルが長く、かつソフトウェア資産を有効利用できる。
【００３７】
なお、各ＬＳＩにＡＤ変換部及び／又はＤＡ変換部を更に内蔵させてもよい。更にチューナを各ＬＳＩに内蔵させることも可能である。
【００３８】
図１及び図２中の第１及び第２ディスクドライブ２ａ，２ｂのうちいずれか一方の配設を省略することとしてもよい。また、デバイス接続数の制約を超えない限り、前述のとおりディスクドライブを増設することも可能である。接続されるディスクドライブは、磁気ディスクドライブ、光ディスクドライブ等、任意である。
【産業上の利用可能性】
【００３９】
以上説明してきたとおり、本発明に係る映像音声記録再生装置は、各々１番組記録機能を有する複数の単位回路をチェーン状に連結することにより、同時に記録できる番組数を容易に増加させることができ、ＤＶＤレコーダ等として有用である。
【図面の簡単な説明】
【００４０】
【図１】本発明に係る映像音声記録再生装置の構成例を示すブロック図である。
【図２】本発明に係る映像音声記録再生装置の他の構成例を示すブロック図である。
【図３】図１及び図２中の第１、第２及び第３データ転送制御部の詳細構成例を示すブロック図である。
【符号の説明】
【００４１】
１  アンテナ
２ａ，２ｂ  ディスクドライブ
１０，２０，３０  チューナ
１１，２１，３１  ＡＤ変換部
１２，２２，３２  符号化部
１３，２３，３３  データ転送制御部
１４，２４，３４  第１バス
１５，２５，３５  第２バス
１６，２６，３６  復号化部
１７，２７，３７  ＬＳＩ
１８，２８，３８  ＤＡ変換部
１０１  データ転送制御部
１０２  受信部
１０３  第１バス
１０４  第２バス
１０５  第１送受信部
１０６  第２送受信部
１０７  第１選択部
１０８  第２選択部
１０９  制御部
１１０  第３選択部
１１１  送信部
２０１  ホスト機能部
２０２  デバイス機能部
２０３  出力選択部
２０４  入力選択部
２０５  入出力選択部
４０１，５０１  第１連結バス
４０２，５０２  第２連結バス
【手続補正３】
【補正対象書類名】図面
【補正対象項目名】全図
【補正方法】変更
【補正の内容】
【図１】
2007007465.tif 000005
【図２】
2007007465.tif 000006
【図３】
2007007465.tif 000007
【国際調査報告】
2007007465.tif 000008
2007007465.tif 000009
2007007465.tif 000010
2007007465.tif 000011